(57)【特許請求の範囲】
【請求項１】
加入管理の方法において、前記方法は、
ワイヤレスデバイスの第１のＳＩＭカードに関係する第１の加入を使用して、ネットワークと通信することと、
前記ワイヤレスデバイス中の第２のＳＩＭカードの存在を検出することと、
前記ワイヤレスデバイスの電源が前記第２のＳＩＭカードのみに電力を提供するように、前記検出に応答して、前記第１のＳＩＭカードの電源を切断することと、
前記検出に応答して、前記第２のＳＩＭカードに関係する第２の加入を初期化することと、
前記第２の加入を使用して、前記ネットワークへの接続を試行することと、
前記第２のＳＩＭカードが前記ワイヤレスデバイスから取り外されていることを検出することと、
前記第２のＳＩＭカードが前記ワイヤレスデバイスから取り外されていることを検出するのに応答して、前記第２の加入をデタッチするためのメッセージを前記ネットワークに送ることと、
前記第１のＳＩＭカードの電源を投入することとを含み、
前記第１のＳＩＭカードの電源を投入することは、前記第２の加入をデタッチするための前記メッセージを前記ネットワークに送ることによってトリガされる方法。
【請求項２】
前記第２のＳＩＭカードを検出することは、前記第１のＳＩＭカードを使用する時間期間の後に起こる請求項１記載の方法。
【請求項３】
前記第１のＳＩＭカードを使用する前記時間期間より前に、前記第１のＳＩＭカードのみを検出することをさらに含む請求項２記載の方法。
【請求項４】
前記第１のＳＩＭカードのみを検出することに基づいて、前記第１の加入との通信を確立することをさらに含む請求項３記載の方法。
【請求項５】
前記第２のＳＩＭカードを検出することは、前記第２のＳＩＭカードの前記ワイヤレスデバイスへの挿入を検出することをさらに含む請求項２記載の方法。
【請求項６】
前記第１のＳＩＭカードは、前記ワイヤレスデバイス中にはめ込まれている請求項１記載の方法。
【請求項７】
前記第１の加入は、前記ネットワークと通信するためのデフォルト加入である請求項１記載の方法。
【請求項８】
前記第２の加入を初期化することは、前記検出に応答して自動的に起こる請求項１記載の方法。
【請求項９】
前記第２の加入を使用して、前記ネットワークへの接続を試行することは、
前記ネットワークから前記第１の加入をデタッチすることと、
前記第２の加入を前記ネットワークにアタッチすることとをさらに含む請求項１記載の方法。
【請求項１０】
前記第２の加入を使用して、前記ネットワークと通信することをさらに含む請求項１記載の方法。
【請求項１１】
前記第２のＳＩＭカードが前記ワイヤレスデバイスから取り外されていることを検出するのに応答して、前記第１の加入を初期化することと、
前記第１の加入を使用して、前記ネットワークへの接続を試行することとをさらに含む請求項１０記載の方法。
【請求項１２】
前記第１の加入を初期化することは、前記第２のＳＩＭカードが取り外されていることを検出するのに応答して自動的に起こる請求項１１記載の方法。
【請求項１３】
前記第１の加入を前記ネットワークにアタッチすることをさらに含む請求項１１記載の方法。
【請求項１４】
その上にプロセッサ実行可能命令を記憶している一時的でないプロセッサ読取可能媒体において、前記命令はプロセッサに、
ワイヤレスデバイスの第１のＳＩＭカードに関係する第１の加入を使用して、ネットワークと通信することと、
前記ワイヤレスデバイス中の第２のＳＩＭカードの存在を検出することと、
前記ワイヤレスデバイスの電源が前記第２のＳＩＭカードのみに電力を提供するように、前記検出に応答して、前記第１のＳＩＭカードの電源を切断することと、
前記検出に応答して、前記第２のＳＩＭカードに関係する第２の加入を初期化することと、
前記第２の加入を使用して、前記ネットワークへの接続を試行することと、
前記第２のＳＩＭカードが前記ワイヤレスデバイスから取り外されていることを検出することと、
前記第２のＳＩＭカードが前記ワイヤレスデバイスから取り外されていることを検出するのに応答して、前記第２の加入をデタッチするためのメッセージを前記ネットワークに送ることと、
前記第１のＳＩＭカードの電源を投入することとを含む動作を実行させるように構成され、
前記第１のＳＩＭカードの電源を投入することは、前記第２の加入をデタッチするための前記メッセージを前記ネットワークに送ることによってトリガされる一時的でないプロセッサ読取可能媒体。
【請求項１５】
ワイヤレスデバイスにおいて、
前記ワイヤレスデバイスに電力を提供する手段と、
前記ワイヤレスデバイスの第１のＳＩＭカードに関係する第１の加入を使用して、ネットワークと通信する手段と、
前記ワイヤレスデバイス中の第２のＳＩＭカードの存在を検出する手段と、
前記電力を提供する手段が前記第２のＳＩＭカードのみに電力を提供するように、前記検出に応答して、前記第１のＳＩＭカードの電源を切断する手段と、
前記検出に応答して、前記第２のＳＩＭカードに関係する第２の加入を初期化する手段と、
前記第２の加入を使用して、前記ネットワークへの接続を試行する手段と、
前記第２のＳＩＭカードが前記ワイヤレスデバイスから取り外されていることを検出する手段と、
前記第２のＳＩＭカードが前記ワイヤレスデバイスから取り外されていることを検出するのに応答して、前記第２の加入をデタッチするためのメッセージを前記ネットワークに送る手段と、
前記第１のＳＩＭカードの電源を投入する手段とを具備し、
前記第１のＳＩＭカードの電源を投入することは、前記第２の加入をデタッチするための前記メッセージを前記ネットワークに送ることによってトリガされるワイヤレスデバイス。
【請求項１６】
ワイヤレスデバイスにおいて、
電源と、
ワイヤレスデバイスの第１のＳＩＭカードに関係する第１の加入を使用して、ネットワークと通信するように構成されている加入マネージャーと、
前記ワイヤレスデバイス中の第２のＳＩＭカードの存在を検出し、前記電源が前記第２のＳＩＭカードのみに電力を提供するように、前記検出に応答して、前記第１のＳＩＭカードの電源を切断し、前記検出に応答して、前記第２のＳＩＭカードに関係する第２の加入を初期化するように構成されているＳＩＭドライバとを具備し、
前記加入マネージャーは、前記第２の加入を使用して、前記ネットワークへの接続を試行し、前記第２のＳＩＭカードが前記ワイヤレスデバイスから取り外されているとの通知を受け取り、前記第２のＳＩＭカードが前記ワイヤレスデバイスから取り外されているとの通知を受け取ることに応答して、前記第２の加入をデタッチするためのメッセージを前記ネットワークに送るようにさらに構成され、
前記ＳＩＭドライバは、前記第１のＳＩＭカードの電源を投入するようにさらに構成され、
前記第１のＳＩＭカードの電源を投入することは、前記第２の加入をデタッチするための前記メッセージを前記加入マネージャーが前記ネットワークに送ることによってトリガされるワイヤレスデバイス。
【請求項１７】
前記ＳＩＭドライバは、前記第１のＳＩＭカードを使用する時間期間の後に前記第２のＳＩＭカードを検出する請求項１６記載のワイヤレスデバイス。
【請求項１８】
前記ＳＩＭドライバは、前記第１のＳＩＭカードを使用する前記時間期間より前に、前記第１のＳＩＭカードのみを検出する請求項１７記載のワイヤレスデバイス。
【請求項１９】
前記加入マネージャーは、前記第１のＳＩＭカードのみを検出することに基づいて、前記第１の加入との通信を確立するようにさらに構成されている請求項１８記載のワイヤレスデバイス。
【請求項２０】
前記ＳＩＭドライバは、前記第２のＳＩＭカードの前記ワイヤレスデバイスへの挿入を検出することによって、前記第２のＳＩＭカードを検出する請求項１７記載のワイヤレスデバイス。
【請求項２１】
前記第１のＳＩＭカードは、前記ワイヤレスデバイス中にはめ込まれている請求項２０記載のワイヤレスデバイス。
【請求項２２】
前記第１の加入は、前記ネットワークと通信するためのデフォルト加入である請求項２０記載のワイヤレスデバイス。
【請求項２３】
前記ＳＩＭドライバは、前記第２のＳＩＭカードの前記ワイヤレスデバイスへの挿入を検出するのに応答して、前記第２の加入を自動的に初期化するように構成されている請求項２０記載のワイヤレスデバイス。
【請求項２４】
前記加入マネージャーは、
前記ネットワークから前記第１の加入をデタッチするようにと、
前記第２の加入を前記ネットワークにアタッチするようにさらに構成されている請求項２０記載のワイヤレスデバイス。
【請求項２５】
前記加入マネージャーは、前記第２の加入を使用して、前記ネットワークと通信するようにさらに構成されている請求項２０記載のワイヤレスデバイス。
【請求項２６】
前記加入マネージャーは、前記第２のＳＩＭカードが前記ワイヤレスデバイスから取り外されているとの通知を受け取るようにさらに構成され、
前記ＳＩＭドライバは、前記通知に応答して、前記第１の加入を初期化するようにさらに構成されている請求項２５記載のワイヤレスデバイス。
【請求項２７】
前記加入マネージャーは、前記第１の加入を使用して、前記ネットワークへの接続を試行するようにさらに構成されている請求項２６記載のワイヤレスデバイス。
【請求項２８】
前記ＳＩＭドライバは、前記通知に応答して、前記第１の加入を自動的に初期化するように構成されている請求項２６記載のワイヤレスデバイス。
【請求項２９】
前記加入マネージャーは、前記第１の加入を前記ネットワークにアタッチするようにさらに構成されている請求項２６記載のワイヤレスデバイス。
【発明の詳細な説明】
【背景】
【０００１】
分野
本開示の態様は、一般的にワイヤレス通信システムに関連し、より具体的には、デュアルＳＩＭ単一スタンバイデバイス中の加入管理に関連する。
【０００２】
背景
ワイヤレス通信ネットワークは、電話、ビデオ、データ、メッセージング、ブロードキャスト等のような、さまざまな通信サービスを提供するために、広く配備されている。通常は多元接続ネットワークであるこのようなネットワークは、利用可能なネットワークリソースを共有することによって、複数のユーザに対する通信をサポートしている。このようなネットワークの一例は、ＵＭＴＳ地上無線アクセスネットワーク（ＵＴＲＡＮ）である。ＵＴＲＡＮは、第３世代パートナーシッププロジェクト（３ＧＰＰ）によってサポートされる第３世代（３Ｇ）移動体電話機技術であるユニバーサル移動体電気通信システム（ＵＭＴＳ）の一部として定義された無線アクセスネットワーク（ＲＡＮ）である。移動体通信のためのグローバルシステム（ＧＳＭ）（登録商標）技術の後継であるＵＭＴＳは、広帯域コード分割多元接続（Ｗ−ＣＤＭＡ）、時分割コード分割多元接続（ＴＤ−ＣＤＭＡ）、時分割同期コード分割多元接続（ＴＤ−ＳＣＤＭＡ）のような、さまざまなエアインターフェース標準規格を現在サポートしている。ＵＭＴＳは、より速いデータ転送スピードおよびキャパシティを関係するＵＭＴＳネットワークに提供する高速パケットアクセス（ＨＳＰＡ）のような、拡張３Ｇデータ通信プロトコルもサポートしている。他の例示的なネットワークは、ＧＰＲＳ／ＥＤＧＥ、ＣＤＭＡ／ＤＯ、および／または、ＥＵＴＲＡＮ（４Ｇ  ＬＴＥ）を含む。
【０００３】
いくつかのワイヤレスデバイスは、２つの別々の加入を通しての通信を促進するように構成されている。例えば、デュアル加入者識別モジュール（ＳＩＭ）単一スタンバイデバイスは、２つのＳＩＭカード−第１の加入に対する１つのカードと、第２の加入に対する第２のカードとを含んでいてもよい。デュアルＳＩＭ単一スタンバイデバイス中では、典型的に２つの加入のうちの１つが、指定された音声および／またはデータの加入として選択され、選ばれた加入は、ワイヤレスデバイスへのデータサービスのプロバイダとして機能するだろう。
【０００４】
ユーザによって選択された、指定された音声および／またはデータの加入に関係するＳＩＭカードは、他のＳＩＭカードが非アクティブの間、アクティブであるだろう。第２のＳＩＭカードの存在を検出する（例えば、ユーザが第２のＳＩＭカードをデバイスに挿入する）と、ユーザには典型的に、新たに挿入されたＳＩＭカードにスイッチするためのメニュー選択が提示される。新たに挿入されたＳＩＭカードにスイッチするようにユーザが選択するまで、デバイスは、新たに挿入されたＳＩＭに関係する音声および／またはデータの加入を、データサービスのプロバイダとして使用しないだろう。したがって、加入間をスイッチすることは、ユーザの介入を必要とする厄介なプロセスになることがある。
【０００５】
したがって、新たに挿入されたＳＩＭカードの存在が検出されると、アクティブなＳＩＭカードに関係する音声および／またはデータの加入から、新たに挿入されたＳＩＭカードに関係する音声および／またはデータの加入に自動的にスイッチする方法および装置があることが望ましい。
【概要】
【０００６】
このような態様の基本的な理解を提供するために、１つ以上の態様の簡易化された概要を以下に提示する。この概要は、すべて企図した態様の広範囲な全体像ではなく、すべての態様の、キーとなる要素または重要な要素を識別することも、何らかの態様またはすべての態様の範囲を叙述することも意図していない。唯一の目的は、後に提示する、より詳細な説明に対する前置きとして、１つ以上の態様のうちのいくつかの概念を、簡略化した形式で提示することである。
【０００７】
１つの態様は、加入管理の方法に関連している。方法は、ワイヤレスデバイスの第１のＳＩＭカードに関係する第１の加入を使用して、ネットワークと通信することを含んでいてもよい。方法は、ワイヤレスデバイス中の第２のＳＩＭカードの存在を検出することも含んでいてもよい。加えて、方法は、検出に応答して、第１のＳＩＭカードの電源を切断することを含んでいてもよい。方法は、検出に応答して、第２のＳＩＭカードに関係する第２の加入を初期化することも含んでいてもよい。方法は、第２の加入を使用して、ネットワークへの接続を試行することをさらに含んでいてもよい。
【０００８】
別の態様は、加入管理を構成する少なくとも１つのプロセッサに関連する。プロセッサは、ワイヤレスデバイスの第１のＳＩＭカードに関係する第１の加入を使用して、ネットワークと通信する第１のモジュールを含んでいてもよい。プロセッサは、ワイヤレスデバイス中の第２のＳＩＭカードの存在を検出する第２のモジュールも含んでいてもよい。プロセッサは加えて、検出に応答して、第１のＳＩＭカードの電源を切断する第３のモジュールを含んでいてもよい。プロセッサは、検出に応答して、第２のＳＩＭカードに関係する第２の加入を初期化する第４のモジュールを含んでいてもよい。さらに、プロセッサは、第２の加入を使用して、ネットワークへの接続を試行する第５のモジュールを含んでいてもよい。
【０００９】
さらなる別の態様は、コンピュータプログラムプロダクトに関連する。コンピュータプログラムプロダクトは、ワイヤレスデバイスの第１のＳＩＭカードに関係する第１の加入をコンピュータに使用させ、ネットワークと通信させる少なくとも１つの命令を含むコンピュータ読取可能媒体を含んでいてもよい。コンピュータ読取可能媒体は、ワイヤレスデバイスデバイス中の第２のＳＩＭカードの存在をコンピュータに検出させる少なくとも１つの命令も含んでいてもよい。加えてコンピュータ読取可能媒体は、検出に応答して、第１のＳＩＭカードの電源をコンピュータに切断させる少なくとも１つの命令を含んでいてもよい。コンピュータ読取可能媒体は、検出に応答して、第２のＳＩＭカードに関係する第２の加入をコンピュータに初期化させる少なくとも１つの命令をさらに含んでいてもよい。コンピュータ読取可能媒体は、コンピュータに第２の加入を使用させて、ネットワークへの接続を試行させる少なくとも１つの命令も含んでいてもよい。
【００１０】
別の態様は装置に関連する。装置は、ワイヤレスデバイスの第１のＳＩＭカードに関係する第１の加入を使用して、ネットワークと通信する手段を含んでいてもよい。装置は、ワイヤレスデバイス中の第２のＳＩＭカードの存在を検出する手段も含んでいてもよい。装置は加えて、検出に応答して、第１のＳＩＭカードの電源を切断する手段を含んでいてもよい。装置は、検出に応答して、第２のＳＩＭカードに関係する第２の加入を初期化する手段も含んでいてもよい。装置は、第２の加入を使用して、ネットワークへの接続を試行する手段をさらに含んでいてもよい。
【００１１】
さらなる別の態様は装置に関連する。装置は、ネットワークと通信するためのワイヤレスデバイスの第１のＳＩＭカードに関係する第１の加入を使用するように構成されている加入マネージャーを含んでいてもよい。加えて装置は、ワイヤレスデバイス中の第２のＳＩＭカードの存在を検出し、検出に応答して、第１のＳＩＭカードの電源を切断し、検出に応答して、第２のＳＩＭカードに関係する第２の加入を初期化するように構成されているＳＩＭドライバを含んでいてもよい。加入マネージャーは、第２の加入を使用して、ネットワークへの接続を試行するようにさらに構成されていてもよい。
【００１２】
上述した目的および関連する目的の達成のために、１つ以上の態様は、以下で十分に説明され、特許請求の範囲において特に指摘される特徴を備える。以下の説明および添付した図面では、１つ以上の態様のある例示的な特徴を詳細に述べている。しかしながらこれらの特徴は、さまざまな態様の原理を用いている、多様な方法のうちのいくつかだけを示しており、この記述はこのようなすべての態様、および、これらの均等物を含むことを意図している。
【図面の簡単な説明】
【００１３】
添付の図面に関連して、開示される態様を以下で記述する。添付の図面は、開示される態様を限定するのでなく、開示される態様を図示するために提供され、同様の名称は同様の要素を示している。
【図１】図１は、態様にしたがった接続システムの図である。
【図２】図２は、態様にしたがった例示的な加入管理コンポーネントの図である。
【図３】図３は、別の態様にしたがった例示的なＳＩＭドライバコンポーネントの図である。
【図４】図４は、さらに別の態様にしたがった加入管理の方法を図示しているフローチャートである。
【図５】図５は、態様にしたがった加入をディセーブルする方法を図示しているフローチャートである。
【図６】図６は、別の態様にしたがった加入を初期化する方法を図示しているフローチャートである。
【図７】図７は、さらに別の態様にしたがった加入管理の方法を図示しているフローチャートである。
【図８】図８は、態様にしたがった接続システム内で動作可能な例示的なコンピュータデバイスである。
【図９】図９は、さらに別の態様にしたがったエラー復旧を促進する例示的なシステムである。
【詳細な説明】
【００１４】
さまざまな態様を、図面を参照して記述する。以下の記述では、説明の目的のために、１つ以上の態様の徹底した理解を提供するために、多数の特定の詳細を述べる。しかしながら、これらの特定の詳細がなくても、このような態様を実施することができることは明らかである。
【００１５】
記述する装置および方法は、デュアルＳＩＭ単一スタンバイデバイスの第１のＳＩＭカードに関係する第１の加入を使用して、ネットワークと通信することを含んでいてもよい。デバイス中の第２のＳＩＭカードの存在を検出すると（例えば、ユーザが第２のＳＩＭをデバイスに挿入すると）、記述する装置および方法は、第２のＳＩＭカードの初期化を自動的に試行してもよい。加えて、記述する装置および方法は、第１のＳＩＭカードの電源を切断して、第２のＳＩＭカードに関係する第２の加入を使用して、ネットワークへの接続を試行してもよい。第２のＳＩＭカードの存在が検出されたときに、第２のＳＩＭカードを自動的に初期化することによって、ユーザは、サービスが中断することなく、デバイスを使用し続けることができる。さらに、第１のＳＩＭカードの電源を切断することによって、ワイヤレスデバイス中のアクティブなＳＩＭカードのみに電力を供給することにより、バッテリー電力を節約することができる。
【００１６】
ここで使用している用語「ＳＩＭ」は、ネットワークタイプおよび／またはカードタイプにかかわらず、ネットワークへの加入者を識別し、認証するために使用される加入者識別モジュール（例えば、スマートカード）を指してもよい。例えば、用語「ＳＩＭ」は、ユニバーサル加入者識別モジュール（ＵＳＩＭ）、ユニバーサル集積回路カード（ＵＩＣＣ）、インターネットプロトコルマルチメディアサービス識別モジュール（ＩＳＩＭ）、取り外し可能ユーザ識別モジュール（ＲＵＩＭ）、ＣＤＭＡ加入者識別モジュール（ＣＩＳＭ）のうちの１つ以上を含んでいてもよい。例えば、いくつかの態様においてＳＩＭカードは、一意的なシリアル番号（ＩＣＣＩＤ）、国際移動体加入者識別子（ＩＭＳＩ）、セキュリティ認証および暗号化情報、ローカルネットワークに関連する一時的な情報、ユーザがアクセスを有するサービスのリスト、通常使用の個人識別番号（ＰＩＮ）とＰＩＮ解除のための個人非ブロック化コード（ＰＵＫ）との２つのパスワード、のうちの１つ以上を含んでいてもよい。
【００１７】
これから図１を参照すると、ワイヤレス通信システム１００を図示している。システム１００は、１つ以上のネットワークエンティティ１０４と通信してワイヤレスネットワークアクセスを受け取る、１つ以上のワイヤレスデバイス１０２を含む。ネットワークエンティティ１０４は、ワイヤレスデバイス１０２が通信できるようにし、および／または、通信リンク１２を確立して維持できる、基地局（ＢＳ）またはノードＢ、中継器、ピアツーピアデバイス、無線ネットワーク制御装置（ＲＮＣ）、認証認可課金（ＡＡＡ）サーバ、移動体スイッチングセンター（ＭＳＣ）等を含む、アクセスポイントのような任意のタイプのネットワークコンポーネントのうちの１つ以上を含んでいてもよい。
【００１８】
ワイヤレスデバイス１０２は、ネットワークエンティティ１０４に接続してもよい、セルラデバイスのような、任意の移動体の、ポータブルコンピューティングまたは通信デバイスを含んでいてもよい。ワイヤレスデバイス１０２は、数あるデバイスの中で、例えば、ワイヤレス接続能力を有する、セルラ電話機、ナビゲーションシステム、コンピューティングデバイス、カメラ、ＰＤＡ、音楽デバイス、ゲームデバイス、または、ハンドヘルドデバイスでもよい。
【００１９】
ある態様では、ワイヤレスデバイス１０２は、ＳＩＭ中の加入情報に基づいて、ネットワークエンティティ１０４を通してのような、ネットワークにアクセスするデバイスでもよい。例えば、ワイヤレスデバイス１０２はデュアルＳＩＭ単一スタンバイデバイスでもよい。例えば、ワイヤレスデバイス１０２は、第１のＳＩＭ２０と第２のＳＩＭ２４とを含んでいてもよい。第１のＳＩＭ２０は、第１の加入２２に関係していてもよい一方で、第２のＳＩＭ２４は、第２の加入２６に関係していてもよい。第１の加入２２と第２の加入２６は、音声および／またはデータの加入でもよい。加えて、第１の加入２２は加入識別子２８を有していてもよく、第２の加入２６は加入識別子３０を有していてもよい。第１の加入２２と第２の加入２６は、同じ技術タイプ、同じネットワークオペレータ、異なる技術タイプ、および／または、異なるネットワークオペレータに関係していてもよい。技術タイプおよび／またはネットワークは、これらに限定されないが、ＧＳＭ、ＧＰＲＳまたはＥＤＧＥのような２Ｇ技術、これらに限定されないが、データ最適化（ＤＯ）、ＷＣＤＭＡ（登録商標）、時分割同期コード分割多元接続（ＴＤＳ−ＣＤＭＡ）または他の何らかの第３世代移動体通信技術のような３Ｇ技術、これらに限定されないが、ロングタームエボリューション（ＬＴＥ）、時分割ロングタームエボリューション（ＴＤ−ＬＴＥ）、ＥＵＴＲＡＮ（４Ｇ  ＬＴＥ）または他の何らかの第４世代移動体通信技術のような４Ｇ技術を含んでいてもよいが、これらに限定されない。したがって、第１のＳＩＭ２０は、第２のＳＩＭ２４と同じ技術および／またはネットワークにアクセスできてもよく、ならびに／あるいは、第２のＳＩＭ２４とは異なる技術および／またはネットワークにアクセスできてもよい。
【００２０】
優先値を第１のＳＩＭ２０と第２のＳＩＭ２４とに割り当ててもよいことにさらに着目すべきである。優先値は、ネットワークエンティティ１０４と通信するために、ワイヤレスデバイスがどちらのＳＩＭを選んで使用するかを決定してもよい。例えば、第２のＳＩＭ２４が第１のＳＩＭ２０よりも、より高い優先値を有している場合に、ワイヤレスデバイス１０２は、ネットワークエンティティ１０４と通信するために、第２のＳＩＭ２４を使用してもよい。さらに、例えば、第１のＳＩＭ２０がネットワークエンティティ１０４と通信するためのデフォルトＳＩＭである場合に、第２のＳＩＭ２４を、ワイヤレスデバイス１０２に挿入し、および／または、ワイヤレスデバイス１０２から取り外してもよい。例えば、第２のＳＩＭ２４がネットワークエンティティ１０４と通信するためのデフォルトＳＩＭである場合に、第１のＳＩＭ２０をワイヤレスデバイス１０２に挿入し、および／または、ワイヤレスデバイス１０２から取り外してもよい。
【００２１】
ある態様では、第１のＳＩＭ２０をワイヤレスデバイス１０２から取り外すことができなくてもよいが、第２のＳＩＭ２４をワイヤレスデバイス１０２から取り外すことはできてもよい。例えば、第１のＳＩＭ２０は、ワイヤレスデバイス１０２にはめ込まれていてもよく（ここで使用する「はめ込む」は、所定の位置に固定することを指す。例えば、ワイヤレスデバイス１０２中にハンダ付けされる、または、そうでなければ、取り外しを思いとどまらせる方法で、ワイヤレスデバイス１０２中に保持される）、したがって、ワイヤレスデバイス１０２のユーザによってアクセス可能でないかもしれない。ＳＩＭをワイヤレスデバイス中にはめ込むことによって、振動や最高最低温度に関連する問題をなくす、および／または、減少させることができる。別の態様では、第２のＳＩＭ２４は、ワイヤレスデバイス１０２にはめ込まれていてもよく、したがって、ワイヤレスデバイス１０２のユーザによってアクセス可能でなくてもよく、第１のＳＩＭ２０は、ワイヤレスデバイス１０２から取り外し可能でもよく、したがって、ワイヤレスデバイス１０２のユーザによってアクセス可能でもよい。
【００２２】
ワイヤレスデバイス１０２は、第１のＳＩＭ２０の加入２２、および、第２のＳＩＭ２４の加入２６、それぞれを管理するように動作可能である加入マネージャー１０をさらに含んでいてもよい。加入マネージャー１０は、ネットワークエンティティ１０４と通信するために、加入２２、加入２６のうちの１つを選択してもよい。
【００２３】
ある態様では、加入マネージャー１０は、ネットワークエンティティ１０４と通信するためのデフォルト加入を決定してもよい。デフォルト加入は、ユーザ選択に基づいていてもよく、および／または、ＳＩＭがワイヤレスデバイス中にはめ込まれているか否かに基づいてもよい。例えば、第１のＳＩＭ２０がワイヤレスデバイス１０２中にはめ込まれている場合に、加入マネージャー１０は、第１の加入２２がネットワークエンティティ１０４と通信するためのデフォルト加入であると決定してもよい。デフォルト加入は、特定のサービスプロバイダに関係する、予め確立された通信プランであってもよい。例えば、ワイヤレスデバイスのオリジナル機器製造者（ＯＥＭ）は、特定のサービスプロバイダとの予め確立された関連を有していてもよく、特定のサービスプロバイダに関係する通信プランを有するＳＩＭカードを、ワイヤレスデバイスにはめ込んでもよい。通信プランのパラメータは、ＯＥＭとサービスプロバイダとの間で交渉されてもよい。例えばパラメータは、従量課金サービスプラン（例えば、１時間の接続で１ドル）および／または月次サービスプランであってもよい。加えて、通信プランのパラメータは、限定されたデータ接続性をサービスプロバイダに提供してもよい。さらに、ワイヤレスデバイス１０２のユーザは、ワイヤレスデバイスのデフォルト加入に関係する通信プランのパラメータの入力を有していなくてもよい。
【００２４】
加入マネージャー１０は、第１のＳＩＭ２０と第２のＳＩＭ２４とのステータスを決定するように動作可能であるステータスコンポーネント３２をさらに含んでいてもよい。ステータスは例えば、第２のＳＩＭ２４が、ワイヤレスデバイス１０２に挿入されているか、および／または、ワイヤレスデバイス１０２から取り外されているか否かを含んでいてもよい。加えて、ステータスは、例えば、第１のＳＩＭ２０の電源が投入されているか、および／または、電源が切断されているか否かも含んでいてもよい。ある態様では、第２のＳＩＭ２４がワイヤレスデバイス１０２に挿入されているという通知をステータスコンポーネント３２が受け取ると、加入マネージャー１０は、第２の加入２６は第１の加入２２（例えば、デフォルト加入）よりも、より高い優先度を有していると決定してもよく、したがって、加入マネージャー１０は、ネットワークエンティティ１０４と通信するために第２の加入２６を使用するように自動的にスイッチしてもよい。例えば、第２の加入２６は、より多くのデータ接続性を有する通信プランを提供してもよい。さらに、ステータスコンポーネント３２が、第２のＳＩＭ２４がワイヤレスデバイス１０２から取り外されているという通知を受け取ると、加入マネージャー１０は、第１の加入２２を使用するように自動的にスイッチバックしてもよい。
【００２５】
これから図２を参照すると、加入マネージャーコンポーネント１０は、第１のＳＩＭ２０と第２のＳＩＭ２４に、および／または、それぞれのＳＩＭカードスロットに提供される電力を管理するように動作可能である電力コンポーネント３４をさらに含んでいてもよい。例えば、第２のＳＩＭ２４がワイヤレスデバイス１０２に挿入されているという通知を受け取ると、電力コンポーネント３４は、第１のＳＩＭカード２０の電源を切断してもよい。加えて、第２のＳＩＭ２４がワイヤレスデバイス１０２から取り外されていると決定すると、電力コンポーネント３４は、第１のＳＩＭ２０の電源を投入してもよい。第１のＳＩＭ２０の電源を切断および／または電源を投入することによって、同時に複数のＳＩＭに電力を供給しないことにより、バッテリー電力を節約することができる。ステータスコンポーネント３２に第１のＳＩＭ２０の電力ステータスを示すメッセージ（例えば、第１のＳＩＭ２０は電力を有している、および／または、第１のＳＩＭ２０は電源が切断されている）を提供することにより、電力コンポーネント３４は、ステータスコンポーネント３２（図１）にインターフェースしてもよい。
【００２６】
加入マネージャー１０は、ネットワークエンティティ１０４と通信するための加入２２、加入２６を選択するように動作可能である通信マネージャー３６も含んでいてもよい。例えば、第２のＳＩＭ２４がワイヤレスデバイス１０２に挿入されているとステータスコンポーネント３２（図１）が決定すると、通信マネージャー３６は、第１のＳＩＭ２０に関係する第１の加入２２をネットワークエンティティ１０４からデタッチしてもよい。加えて、通信マネージャー３６は、加入２６をネットワークエンティティ１０４にアタッチしてもよい。したがって、通信マネージャー３６は、ネットワークエンティティ１０４と通信するための１つ以上の加入を追加および／または解消してもよい。通信マネージャー３６は、ネットワークからデタッチされているＳＩＭの加入に関係する、プロトコルスタックの電源を切断するように動作可能であるプロトコルスタックマネージャー３８も含んでいてもよい。加えて、プロトコルスタックマネージャー３８は、ネットワークにアタッチされているＳＩＭの加入に関係する、プロトコルスタックの電源を投入するように動作可能であってもよい。実行している１つのプロトコルスタックのみを有することにより、バッテリー電力をセーブすることができる。
【００２７】
図１に戻って参照すると、ワイヤレスデバイス１０２は、第１のＳＩＭ２０と第２のＳＩＭ２４とに関係するＳＩＭカードスロットを制御するように動作可能であるＳＩＭドライバ１４をさらに含んでいてもよい。ＳＩＭドライバ１４は、第１のＳＩＭ２０に関係するＳＩＭカードスロットを制御するように動作可能である第１のＳＩＭドライバ１６を含んでいてもよい。ＳＩＭドライバ１４は、第２のＳＩＭ２４に関係するＳＩＭカードスロットを制御するように動作可能である第２のＳＩＭドライバ１８も含んでいてもよい。ＳＩＭドライバ１４は、加入マネージャー１０の一部として図示されているが、ＳＩＭドライバ１４は別のコンポーネントであってもよいことに着目すべきである。
【００２８】
これから図３を参照すると、ＳＩＭドライバ１４は、ＳＩＭカードがワイヤレスデバイス１０２中に存在するか否かを検出するように動作可能である検出コンポーネント４０を含んでいてもよい。例えば、検出コンポーネント４０は、ＳＩＭカードがワイヤレスデバイス１０２に挿入されている、および／または、ワイヤレスデバイス１０２から取り外されているか否かを検出してもよい。ある態様では、検出コンポーネント４０は、ハードウェア検出ロジックを使用して、ＳＩＭカードがワイヤレスデバイス１０２に挿入されている、および／または、ワイヤレスデバイス１０２から取り外されているか否かを決定してもよい。例えば、検出コンポーネント４０はＳＩＭスロット中のピンを割り当て、ＳＩＭカードが割り当てられたピンに接触している場合に、ＳＩＭカードがワイヤレスデバイス１０２中に挿入され、残っていると検出コンポーネント４０が決定できるようにしてもよい。ＳＩＭカードが割り当てられたピンにもはや接触していない場合、ＳＩＭカードはワイヤレスデバイス１０２から取り外されていると検出コンポーネント４０は決定してもよい。
【００２９】
別の態様では、検出コンポーネント４０は、ソフトウェアロジックを使用して、ＳＩＭカードがワイヤレスデバイス１０２に挿入されている、および／または、ワイヤレスデバイス１０２から取り外されているか否かを決定してもよい。例えば、検出コンポーネント４０は、時間間隔内で、ＳＩＭカードにコマンドを送ってもよい（例えば、周期的にＳＩＭカードをポーリングする）。ＳＩＭカードがポーリングに対して応答を提供する場合、検出コンポーネント４０は、ＳＩＭカードがワイヤレスデバイス１０２に挿入されていると決定してもよい。ＳＩＭがポーリングに対する応答を提供しない場合、検出コンポーネント４０は、ＳＩＭカードがワイヤレスデバイス１０２から取り外されていると決定してもよい。
【００３０】
検出コンポーネント４０は、ステータスコンポーネント３２（図１）と通信してもよい。例えば、第２のＳＩＭ２４がワイヤレスデバイス１０２に挿入されていると検出コンポーネント４０が決定する場合、検出コンポーネント４０は、第２のＳＩＭ２４がワイヤレスデバイス１０２中に挿入されていることを示す通知をステータスコンポーネント３２に送ってもよい。加えて、第２のＳＩＭ２４が、ワイヤレスデバイス１０２から取り外されていると検出コンポーネント４０が決定する場合に、検出コンポーネント４０は、第２のＳＩＭ２４がワイヤレスデバイス１０２から取り外されていることを示す通知をステータスコンポーネント３２に送ってもよい。
【００３１】
検出コンポーネント４０は、インターフェースコンポーネント４２とも通信してもよい。インターフェースコンポーネント４２は、ワイヤレスデバイス１０２上にはめ込まれているＳＩＭに関係するインターフェースをイネーブルおよび／またはディセーブルしてもよい。例えば、はめ込まれているＳＩＭの電源を切断するメッセージをＳＩＭドライバ１４が加入マネージャー１０から受け取る場合、インターフェースコンポーネント４２は、はめ込まれているＳＩＭに関係するインターフェースをディセーブルしてもよい。しかしながら、はめ込まれているＳＩＭに電源を投入するメッセージをＳＩＭドライバ１４が加入マネージャー１０から受け取る場合、インターフェースコンポーネント４２は、はめ込まれているＳＩＭに関係するインターフェースをイネーブルしてもよい。
【００３２】
ＳＩＭドライバ１４は、ＳＩＭに関係する加入を初期化するように動作可能な初期化コンポーネント４４も含んでいてもよい。初期化コンポーネント４４は、どの加入を初期化するかを示すメッセージを加入マネージャー１０から受け取ってもよい。第１のＳＩＭドライバ１６および／または第２のＳＩＭドライバ１８は、別々の、検出コンポーネント４０、インターフェースコンポーネント４２、初期化コンポーネント４４をそれぞれ有していてもよいことに着目すべきである。
【００３３】
例えば、第２のＳＩＭ２４がワイヤレスデバイス１０２中で検出されていること示すメッセージを、加入マネージャー１０が検出コンポーネント４０から受け取ると、加入マネージャー１０は、第２のＳＩＭ２４を初期化するためのメッセージを初期化コンポーネント４４に送ってもよい。加入マネージャー１０は、第１のＳＩＭ２０の電源を切断し、第１のＳＩＭ２０に関係するインターフェースをディセーブルするメッセージをＳＩＭドライバ１４にさらに送ってもよい。このように、第２のＳＩＭ２４の存在を検出すると、加入マネージャー１０は、第１のＳＩＭ２０と第２のＳＩＭ２４との間で自動的にスイッチできてもよい。
【００３４】
加えて、第２のＳＩＭ２４がワイヤレスデバイス１０２から取り外されていることを示すメッセージを加入マネージャー１０が検出コンポーネント４０から受け取ると、加入マネージャー１０は初期化コンポーネント４４に第１のＳＩＭ２０を初期化するメッセージを送ってもよい。加入マネージャー１０は、第１のＳＩＭ２０に電源を投入し、第１のＳＩＭ２０に関係するインターフェースをイネーブルするメッセージをＳＩＭドライバ１４にさらに送ってもよい。このように、加入マネージャー１０は、第２のＳＩＭ２４が取り外されたことを検出すると、第１のＳＩＭ２０を使用することに自動的にスイッチできてもよい。
【００３５】
図４を参照すると、態様にしたがった加入管理のための方法４００は、４０２において、ワイヤレスデバイスの第１のＳＩＭカードに関係する第１の加入を使用してネットワークと通信することを含む。例えば、加入マネージャー１０（図１）は、ネットワークエンティティ１０４（図１）と通信するための第１の加入２２（図１）を選択してもよい。第１の加入は、ワイヤレスデバイスのＯＥＭによって予め確立されたネットワークと通信するためのデフォルト加入であってもよい。例えばＯＥＭは、ネットワークアクセスに対して特定のサービスプロバイダと通信するためのデフォルト加入を有する第１のＳＩＭカードをワイヤレスデバイスにはめ込んでもよい。
【００３６】
方法は、４０４において、第２のＳＩＭの存在を検出することも含んでいてもよい。例えば、第２のＳＩＭ２４がワイヤレスデバイス１０２に挿入されているという通知を、加入マネージャーはＳＩＭドライバ１４から受け取ってもよい。ある態様では、ＳＩＭドライバ１４は、ハードウェア検出を通して、第２のＳＩＭ２４が挿入されていることと検出してもよい。ＳＩＭドライバ１４は、第２のＳＩＭ２４の存在を検出するために、第２のＳＩＭスロット中のピンを割り当ててもよい。第２のＳＩＭ２４が割り当てられたピンに接触している場合、ＳＩＭドライバ１４は、第２のＳＩＭがワイヤレスデバイス１０２に挿入されていると決定してもよい。別の態様では、ＳＩＭドライバ１４は、ソフトウェア検出を通して、第２のＳＩＭ２４がワイヤレスデバイス１０２に挿入されていることと検出してもよい。例えば、ＳＩＭドライバ１４は周期的に第２のＳＩＭスロットをポーリングして、第２のＳＩＭ２４がポーリングに応答する場合、ＳＩＭドライバ１４は、第２のＳＩＭ２４がワイヤレスデバイス１０２に挿入されていると決定してもよい。第２のＳＩＭ２４がワイヤレスデバイスに挿入されているとＳＩＭドライバ１４が決定すると、ＳＩＭドライバ１４は、第２のＳＩＭ２４がワイヤレスデバイス１０２中に挿入されているという通知を加入マネージャー１０に送ってもよい。
【００３７】
方法は、４０６において、第１のＳＩＭカードの電源を切断することをさらに含んでいてもよい。第２のＳＩＭ２４がワイヤレスデバイス１０２に挿入されているという通知を加入マネージャー１０が受け取ると、加入マネージャー１０は、第１のＳＩＭ２０の電源を切断するようにＳＩＭドライバ１４に命令するメッセージをＳＩＭドライバ１４に送ってもよい。第１のＳＩＭ２０の電源を切断することにより、バッテリー電力を節約することができ、したがって、ワイヤレスデバイスのバッテリー寿命を延ばすことができる。図５中で論じるように、第１のＳＩＭカードの電源を切断するより前に、方法は、ネットワークから第１の加入をデタッチすることを含んでいてもよいことに着目すべきである。
【００３８】
加えて方法は、第２のＳＩＭカードの存在を検出することに応答して、第２のＳＩＭカードに関係する第２の加入を初期化することを含んでいてもよい。例えば、第２のＳＩＭカードがワイヤレスデバイス１０２に挿入されているという表示を加入マネージャー１０が受け取ると、加入マネージャー１０は、第２のＳＩＭ２４に関係する第２の加入を初期化するようにＳＩＭドライバ１４に命令するメッセージを自動的にＳＩＭドライバ１４に送ってもよい。
【００３９】
方法は、４１０において、第２の加入を使用してネットワークへの接続を試行することも含んでいてもよい。ある態様では、ネットワークエンティティ１０４と通信するために、第２のＳＩＭ２４に関係する第２の加入２６（図１）を使用することを、加入マネージャー１０は試行してもよい。
【００４０】
このように、第２のＳＩＭがワイヤレスデバイスに挿入されていると決定すると、加入マネージャーは、ネットワークエンティティとの通信を試行するために、第２のＳＩＭを使用するように自動的にスイッチしてもよい。第２のＳＩＭカードが検出されたときに自動的に第２のＳＩＭカードを初期化することによって、ユーザは、サービスが中断することなくデバイスを使用し続けることができる。したがって、ユーザ経験が改善される。
【００４１】
これから図５を参照すると、態様にしたがって加入をディセーブルするための方法５００は、５０２において、ネットワークから第１の加入をデタッチすることと、５０４において、デタッチ完了メッセージを受け取ることとを含む。加入マネージャー１０は、ネットワークから第１の加入をデタッチするメッセージをネットワークエンティティ１０４に送ってもよく、メッセージに応答して、ネットワークエンティティ１０４からデタッチ完了メッセージを受け取ってもよい。このように、第２のＳＩＭカードの存在を検出すると、ネットワークから第１の加入を解消することによって、ワイヤレスデバイスはネットワークと通信するためのアクティブな加入を１つだけ有するだろう。
【００４２】
方法は、５０６において、第１のＳＩＭカードの電源を切断することも含んでいてもよい。ある態様では、第２のＳＩＭカード（図１）の存在を検出すると、加入マネージャー１０（図１）は、第１のＳＩＭ２０（図１）の電源を切断するようにＳＩＭドライバ１４に命令するメッセージをＳＩＭドライバ１４（図１）に送ってもよい。第１のＳＩＭカードの電源を切断することは、第１の加入をデタッチするメッセージをネットワークエンティティに送ることによってトリガされてもよく、および／または、第１の加入のデタッチが生じたという確認を受け取ることによってトリガされてもよい。加えて、第１のＳＩＭカードの電源を切断することは、ネットワークエンティティから第１の加入をデタッチすることと同時に生じてもよい。
【００４３】
５０８において、方法は、第１のＳＩＭカードのインターフェースをディセーブルすることをさらに含んでいてもよい。例えば、第１のＳＩＭ２０の電源を切断するメッセージを加入マネージャー１０から受け取ると、ＳＩＭドライバ１４は、第１のＳＩＭ２０に関係するインターフェースをディセーブルしてもよい。
【００４４】
これから図６を参照すると、態様にしたがって加入を初期化するための方法６００は、６０２において、第２のＳＩＭカードを初期化することを含む。例えば、加入マネージャー１０（図１）は、第２のＳＩＭ２４（図１）の存在を検出すると、第２のＳＩＭ２４（図１）を初期化するようにＳＩＭドライバ１４（図１）に自動的に命令してもよい。
【００４５】
６０４において、方法は、初期化完了メッセージを受け取ることを含んでいてもよい。ある態様では、ＳＩＭドライバ１４は、第２のＳＩＭ２４を使用する準備ができている、例えば、第２のＳＩＭスロットに関係するインターフェースがイネーブルである、ことを示す初期化完了メッセージを加入マネージャー１０に送ってもよい。
【００４６】
６０６において、方法は、第２のＳＩＭカードに関係する第２の加入をネットワークにアタッチすることをさらに含んでいてもよく、６０８において、方法は、アタッチ完了メッセージを受け取ることを含んでいてもよい。例えば、加入マネージャー１０は、第２のＳＩＭ２４に関係する第２の加入２６（図１）をネットワークエンティティ１０４にアタッチするメッセージをネットワークエンティティ１０４に送ってもよく、加入マネージャー１０は、ネットワークエンティティ１０４からアタッチ完了メッセージを受け取ってもよい。
【００４７】
方法は、６１０において、第２の加入を使用してネットワークエンティティと通信することも含んでいてもよい。ある態様では、加入マネージャー１０は、ネットワークエンティティ１０４と通信するために第２の加入２６を使用してもよい。
【００４８】
図７を参照すると、態様にしたがった加入管理のための方法７００は、７０２において、第２のＳＩＭカードに関係する第２の加入を使用して、ネットワークと通信することを含む。例えば、ネットワークエンティティ１０４（図１）と通信するために、第２の加入２６（図１）は第１の加入２２（図１）に対してより高い優先度を有すると加入マネージャー１０は決定していてもよく、したがって、ネットワークエンティティ１０４と通信するために第２の加入２６を使用している。ある態様では、ワイヤレスデバイスデバイス１０２（図１）中に第２のＳＩＭ２４（図１）の存在を検出すると、第２の加入２６はより高い優先度を有すると加入マネージャー１０は自動的に決定してもよい。
【００４９】
７０４において、方法は、第２のＳＩＭカードがワイヤレスデバイスから取り外されているという通知を受け取ることを含む。例えば、加入マネージャー１０は、第２のＳＩＭ２４がワイヤレスデバイス１０２から取り外されているという通知をＳＩＭドライバ１４（図１）から受け取ってもよい。ある態様では、ＳＩＭドライバ１４は、ハードウェア検出を通して、第２のＳＩＭ２４が取り外されていることと検出してもよい。ＳＩＭドライバ１４は、第２のＳＩＭ２４の存在を検出するために、第２のＳＩＭスロット中のピンを割り当ててもよい。第２のＳＩＭ２４が割り当てられたピンにもはや接触していない場合、第２のＳＩＭがワイヤレスデバイス１０２から取り外されているとＳＩＭドライバ１４は決定してもよい。別の態様では、ＳＩＭドライバ１４は、ソフトウェア検出を通して、第２のＳＩＭ２４がワイヤレスデバイス１０２から取り外されていることを検出してもよい。例えば、ＳＩＭドライバ１４は周期的に第２のＳＩＭ２４をポーリングして、第２のＳＩＭ２４がポーリングに応答しない場合、ＳＩＭドライバ１４は、第２のＳＩＭ２４がワイヤレスデバイス１０２から取り外されていると決定してもよい。第２のＳＩＭ２４が、ワイヤレスデバイスから取り外されているとＳＩＭドライバ１４が決定すると、ＳＩＭドライバ１４は、第２のＳＩＭ２４がワイヤレスデバイス１０２から取り外されているという通知を加入マネージャー１０に送ってもよい。
【００５０】
方法は、７０６において、ネットワークから第２の加入をデタッチすることも含んでいてもよい。加入マネージャー１０は、ネットワークから第２の加入をデタッチするメッセージをネットワークエンティティ１０４に送ってもよく、メッセージに応答して、ネットワークエンティティ１０４からデタッチ完了メッセージを受け取ってもよい。このように、第２のＳＩＭカードの取り外しを検出すると、ネットワークから第２の加入を解消することによって、ワイヤレスデバイスはネットワークと通信するためのアクティブな加入を１つだけ有するだろう。
【００５１】
加えて、方法は、７０８において、第１のＳＩＭカードの電源を投入することを含んでいてもよい。第２のＳＩＭ２４がワイヤレスデバイス１０２から取り外されているという通知を受け取ると、加入マネージャー１０は、第１のＳＩＭ２０の電源を投入する通知をＳＩＭドライバ１４に送ってもよい。第１のＳＩＭカードの電源を投入することは、第２の加入をデタッチするメッセージをネットワークエンティティに送ることによってトリガされてもよく、および／または、第２の加入のデタッチが生じたという確認を受け取ることによってトリガされてもよい。加えて、第１のＳＩＭカードの電源を投入することは、ネットワークエンティティから第２の加入をデタッチすることと同時に生じてもよい。
【００５２】
方法は、７１０において、通知に応答して、第１のＳＩＭカードに関係する第１の加入を初期化することも含んでいてもよい。例えば、ワイヤレスデバイス１０２から第２のＳＩＭ２４が取り外されているという通知を受け取ると、加入マネージャー１０は、第１のＳＩＭ２０を初期化するようにＳＩＭドライバ１４に命令するメッセージを自動的にＳＩＭドライバ１４に送ってもよい。加えて、加入マネージャー１０は、初期化が完了し、第１のＳＩＭ２０の使用が準備できていることを示すメッセージをＳＩＭドライバ１４から受け取ってもよい。
【００５３】
方法は、７１２において、第１の加入を使用して、ネットワークへの接続を試行することをさらに含んでいてもよい。例えば、ネットワークエンティティ１０４と通信するために、第１の加入２２（図１）を使用することを、加入マネージャー１０は試行してもよい。加入マネージャー１０は、ネットワークエンティティ１０４から第２の加入２６をデタッチし、ネットワークエンティティ１０４に第１の加入２２をアタッチするメッセージをネットワークエンティティ１０４に送ってもよい。このように、加入マネージャー１０は、ネットワークエンティティ１０４と通信するために第１の加入２２を使用できてもよい。
【００５４】
したがって、ワイヤレスデバイスから第２のＳＩＭが取り外されていると決定すると、加入マネージャーは、ネットワークエンティティとの通信を試行するために、第１の加入を使用するように自動的にスイッチしてもよい。第２のＳＩＭカードが取り外されているときに、第１の加入を使用するように自動的にスイッチすることによって、ユーザは、サービスが中断することなく、デバイスを使用し続けることができる。したがって、ユーザ経験が改善される。
【００５５】
図８を参照すると、図示されているのは、態様にしたがった接続システム内で動作可能な例示的なワイヤレスデバイス１０２である。ある態様では、ワイヤレスデバイス１０２は、ここで記述する１つ以上のコンポーネントおよび機能に関係する処理機能を実行するプロセッサ８０を含んでいてもよい。プロセッサ８０は、単一のまたは複数のセットのプロセッサあるいはマルチコアプロセッサを含むことができる。さらに、プロセッサ８０は、統合処理システムおよび／または分散処理システムとして実現することができる。
【００５６】
ワイヤレスデバイス１０２は、プロセッサ８０によって実行されているアプリケーションのローカルバージョンを記憶するためのような、メモリ８２をさらに含んでいてもよい。メモリ８２は、ランダムアクセスメモリ（ＲＡＭ）、リードオンリーメモリ（ＲＯＭ）、テープ、磁気ディスク、光ディスク、揮発性メモリ、不揮発性メモリ、およびこれらの任意の組み合わせのような、コンピュータによって使用可能なタイプのメモリを含むことができる。
【００５７】
さらに、ワイヤレスデバイス１０２は、ここに記述するハードウェア、ソフトウェア、サービスを利用して、１人以上の関係者との通信を確立して、維持することを提供する通信コンポーネント８４を含む。通信コンポーネント８４は、ワイヤレスデバイス１０２上のコンポーネント間の通信を伝えるとともに、通信ネットワークにわたって位置しているデバイス、および／または、ワイヤレスデバイス１０２に直列にまたはローカルに接続されているデバイスのような、外部デバイスと、ワイヤレスデバイス１０２との間の通信を伝えてもよい。例えば、通信コンポーネント８４は、１つ以上のバスを含んでいてもよく、外部デバイスとインターフェースするように動作可能な、送信機および受信機それぞれに関係する送信チェーンコンポーネントおよび受信チェーンコンポーネントをさらに含んでいてもよい。
【００５８】
加えて、ワイヤレスデバイス１０２は、データ記憶装置８６をさらに含んでいてもよく、データ記憶装置８６は、ここで記述する態様に関連して用いられる、情報、データベース、プログラムの大容量記憶を提供するハードウェアおよび／またはソフトウェアの任意の適切な組み合わせとすることができる。例えば、データ記憶装置８６は、プロセッサ８０によって現在実行されていないアプリケーションのためのデータレポジトリであってもよい。
【００５９】
ワイヤレスデバイス１０２は、ワイヤレスデバイス１０２のユーザから入力を受けとるように動作可能であり、ユーザに提示する出力を発生させるようにさらに動作可能であるユーザインターフェースコンポーネント８８をさらに含んでいてもよい。ユーザインターフェースコンポーネント８８は、１つ以上の入力デバイスを含んでいてもよく、キーボード、数字パッド、マウス、タッチセンシティブディスプレイ、ナビゲーションキー、ファンクションキー、マイクロフォン、音声認識コンポーネント、ユーザから入力を受け取ることができる他の何らかのメカニズム、または、それらの任意の組み合わせを含んでいるが、これらに限定されない。さらに、ユーザインターフェースコンポーネント８８は、１つ以上の出力デバイスを含んでいてもよく、ディスプレイ、スピーカ、触覚フィードバックメカニズム、プリンタ、ユーザに出力を提示することができる他の何らかのメカニズム、または、それらの任意の組み合せを含んでいるが、これらに限定されない。
【００６０】
ワイヤレスデバイス１０２は、特別にプログラムされたコンピュータ読取可能命令またはコード、ファームウェア、ハードウェア、あるいは、それらのいくつかの組み合わせのような、加入マネージャー１０（図１）を含んでいてもよい。加えて、ワイヤレスデバイス１０２は、第１のＳＩＭドライバ１６（図１）および第２のＳＩＭドライバ１８（図１）を含んでいてもよい。ある態様では、加入マネージャー１０と、第１のＳＩＭドライバ１６と、第２のＳＩＭドライバ１８との動作に対応するメッセージを、通信コンポーネント８４は送るおよび／または受け取ってもよい。加えて、プロセッサ８０は、加入マネージャー１０と、第１のＳＩＭドライバ１６と、第２のＳＩＭドライバ１８とを実行してもよく、メモリ８２またはデータ記憶装置８６はそれらを記憶してもよい。
【００６１】
これから図９を参照すると、図示されているのは、加入管理するように構成されているシステム９００である。例えば、システム９００は、送信機、移動体デバイス等の内に少なくとも部分的に存在できる。プロセッサ、ソフトウェア、または、それらの組み合わせ（例えば、ファームウェア）によって実現される機能を表す機能ブロックとすることができる機能ブロックを含むものとして、システム９００は表されていると認識すべきである。システム９００は、加入管理を促進する電気コンポーネントの論理グループ９０２を含む。例えば、論理グループ９０２は、ワイヤレスデバイスの第１のＳＩＭカードに関係する第１の加入を使用して、ネットワークと通信するコンポーネント９０４を含んでいてもよい。さらに、論理グループ９０２は、ワイヤレスデバイス中の第２のＳＩＭカードの存在を検出するコンポーネント９０６を含んでいてもよい。加えて、論理グループ９０２は、検出に応答して、第１のＳＩＭカードの電源を切断するコンポーネント９０８を含んでいてもよい。論理グループ９０２は、検出に応答して、第２のＳＩＭカードに関係する第２の加入を初期化するコンポーネント９１０も含んでいてもよい。さらに、論理グループ９０２は、第２の加入を使用して、ネットワークへの接続を試行するコンポーネント９１２を含んでいてもよい。加えて、システム９００は、電気コンポーネント９０４、９０６、９０８、９１０、および９１２に関係する機能を実行するための命令を保持するメモリ９１４を含むことができる。メモリ９１４の外部にあるように示されているが、電気コンポーネント９０４、９０６、９０８、９１０、９１２のうちの１つ以上は、メモリ９１４内に存在することができると理解すべきである。
【００６２】
本出願において使用されているような、用語「コンポーネント」、「モジュール」、「システム」およびこれらに類するものは、これらに限定されないが、ハードウェア、ファームウェア、ハードウェアとソフトウェアとの組み合わせ、ソフトウェア、または実行中のソフトウェアのような、コンピュータ関連エンティティを含むことを意図している。例えば、コンポーネントは、プロセッサ上で実行しているプロセス、プロセッサ、オブジェクト、実行ファイル、実行スレッド、プログラム、および／またはコンピュータであってもよいが、これらに限定されない。実例として、コンピューティングデバイス上で実行しているアプリケーションおよびコンピューティングデバイスの両方とも、コンポーネントとなることができる。１つ以上のコンポーネントは、プロセスおよび／または実行スレッド内に存在でき、コンポーネントは、１つのコンピュータ上でローカライズされ、および／または、２つ以上のコンピュータ間で分散されてもよい。加えて、そこに記憶されたさまざまなデータ構造を有するさまざまなコンピュータ読取可能媒体から、これらのコンポーネントを実行できる。コンポーネントは１つ以上のデータパケットを有する信号にしたがうようなローカルプロセスおよび／または遠隔プロセスにより通信してもよく、データパケットは、この信号によって、ローカルシステム中、分散システム中の別のコンポーネントと対話する、および／または、インターネットのようなネットワークにわたって他のシステムと対話する、１つのコンポーネントからのデータのようなものである。
【００６３】
さらに、ワイヤード端末またはワイヤレス端末とすることができる端末に関連して、さまざまな態様をここで記述する。端末は、システム、デバイス、加入者ユニット、加入者局、移動局、移動体、移動体デバイス、遠隔局、遠隔端末、アクセス端末、ユーザ端末、端末、通信デバイス、ユーザエージェント、ユーザデバイス、またはユーザ機器（ＵＥ）と呼ぶこともできる。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、または、ワイヤレスモデムに接続される他の処理デバイスであってもよい。さらに、基地局に関してさまざまな態様がここに記述されている。ワイヤレス端末と通信するために、基地局を利用してもよく、基地局は、アクセスポイント、ノードＢ、または、他の何らかの専門用語で呼ばれてもよい。
【００６４】
さらに、用語「または」は、排他的な「または」というよりむしろ、包含的な「または」を意味することを意図している。すなわち、特に指定がない限り、または、文脈から明らかでない限り、「ＸがＡまたはＢを用いる」というフレーズは、自然な包含的順列のうちのいずれかを意味することを意図している。すなわち、「ＸがＡまたはＢを用いる」というフレーズは、以下の事例、ＸがＡを用いる、ＸがＢを用いる、または、ＸがＡおよびＢの両方とも用いる、のうちのいずれによっても満たされる。加えて、本出願および添付した特許請求の範囲中で使用しているような冠詞「ａ」および「ａｎ」は、特に指定がない限り、または、単数形に向けられている文脈から明らかでない限り、一般的に、「１つ以上」を意味すると解釈すべきである。
【００６５】
ここで記述した技術は、ＣＤＭＡ、ＴＤＭＡ、ＦＤＭＡ、ＯＦＤＭＡ、ＳＣ−ＦＤＭＡ、および他のシステムのような、さまざまなワイヤレス通信システムに対して使用してもよい。用語「システム」および「ネットワーク」は、交換可能に使用されることが多い。ＣＤＭＡシステムは、ユニバーサル地上無線アクセス（ＵＴＲＡ）、ｃｄｍａ２０００等のような、無線技術を実現することができる。ＵＴＲＡは、ワイドバンドＣＤＭＡ（Ｗ−ＣＤＭＡ）と、ＣＤＭＡの他の変形とを含む。さらに、ｃｄｍａ２０００は、ＩＳ−２０００、ＩＳ−９５、およびＩＳ−８５６標準規格をカバーする。ＴＤＭＡシステムは、移動体通信のためのグローバルシステム（ＧＳＭ）のような無線技術を実現することができる。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュＯＦＤＭ等のような無線技術を実現することができる。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、ダウンリンク上でＯＦＤＭＡを、アップリンク上でＳＣ−ＦＤＭＡを用いるＥ−ＵＴＲＡを使用する、ＵＭＴＳのリリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）という名の組織の文書中に記述されている。加えて、ｃｄｍａ２０００およびＵＭＢは、「第３世代パートナーシッププロジェクト２」（３ＧＰＰ２）という名の組織の文書中に記述されている。さらに、このようなワイヤレス通信システムは、対ではないライセンスされていないスペクトル、８０２．ｘｘワイヤレスＬＡＮ、ＢＬＵＥＴＯＯＴＨ（登録商標）、および、他の何らかの短距離または長距離のワイヤレス通信技術を使用することが多い、ピアツーピア（例えば、モバイルツーモバイル）アドホックネットワークシステムをさらに含むことができる。
【００６６】
多数のデバイス、コンポーネント、モジュール、およびこれらに類するものを含むことができるシステムに関して、さまざまな態様または特徴を提示するだろう。さまざまなシステムは、追加のデバイス、コンポーネント、モジュール等を含んでもよく、および／または、図面に関連して論じるデバイス、コンポーネント、モジュール等のすべてを含まなくてもよいことを理解し、認識すべきである。これらのアプローチの組み合わせも使用してもよい。
【００６７】
ここで開示した実施形態に関連して記述した、さまざまな例示的な、論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、または、ここで記述した機能を実行するように設計されているこれらの任意の組み合わせで実現しても、あるいは、実行してもよい。汎用プロセッサはマイクロプロセッサであってもよいが、代替実施形態では、プロセッサは、任意の従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのような構成のような、コンピューティングデバイスの組み合わせとして実現されてもよい。加えて、少なくとも１つのプロセッサは、上述したステップおよび／またはアクションのうちの１つ以上を実行するように動作可能な１つ以上のモジュールを含んでいてもよい。
【００６８】
さらに、ここに開示した態様と関連して記述した方法またはアルゴリズムの、ステップおよび／またはアクションは、直接、ハードウェア中で、プロセッサにより実行されるソフトウェアモジュール中で、または、２つの組み合わせ中で具現化してもよい。ソフトウェア中で実現される場合、機能は、１つ以上の命令として、または、コードとして、非一時的プロセッサ読取可能媒体上に記憶されてもよい。ここに開示した、方法またはアルゴリズムの動作は、非一時的プロセッサ読取可能記憶媒体上に存在するかもしれないプロセッサ実行可能ソフトウェアモジュール中で具現化してもよい。非一時的プロセッサ読取可能記憶媒体は、コンピュータプロセッサによってアクセスされてもよい、任意の利用可能な媒体であってもよい。限定ではなく例として、このような非一時的プロセッサ読取可能記憶媒体は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、技術的に既知である記憶媒体の他の何らかの形態を含んでいてもよい。例示的な記憶媒体は、プロセッサが記憶媒体から情報を読み取り、記憶媒体に情報を書き込むことができるように、プロセッサに結合されてもよい。代替実施形態では、記憶媒体はプロセッサと一体化してもよい。さらに、いくつかの態様では、プロセッサおよび記憶媒体は、ＡＳＩＣ中に存在してもよい。加えて、ＡＳＩＣは、ユーザ端末中に存在してもよい。代替実施形態では、プロセッサおよび記憶媒体は、ユーザ端末中にディスクリートコンポーネントとして存在してもよい。加えて、いくつかの態様では、方法またはアルゴリズムのステップおよび／またはアクションは、コンピュータプログラムプロダクトの中に組み込まれてもよい、機械読取可能媒体および／またはコンピュータ読取可能媒体上で、コードおよび／または命令の、１つまたは、何らかの組み合わせ、またはセットとして存在してもよい。
【００６９】
１つ以上の態様では、記述した機能は、ハードウェア、ソフトウェア、ファームウェア、またはこれらの任意の組み合わせ中で実現してもよい。ソフトウェア中で実現した場合、機能は、１つ以上の命令またはコードとしてコンピュータ読取可能媒体上に記憶されてもよく、あるいは、送信されてもよい。コンピュータ読取可能媒体は、１つの場所から別の場所へのコンピュータプログラムの転送を促進する何らかの媒体を含むコンピュータ記憶媒体および通信媒体の両方を含む。記憶媒体は、コンピュータによってアクセスできる何らかの利用可能な媒体であってもよい。限定ではないが、例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、またはコンピュータによってアクセスできる命令またはデータ構成の形態で所望のプログラムコードを伝えるまたは記憶するために使用できる他の何らかの媒体を含むことができる。また、あらゆる接続は、コンピュータ読取可能媒体と呼ばれてもよい。例えば、ソフトウェアが、ウェブサイトから、サーバから、あるいは、同軸ケーブル、光ファイバケーブル、撚り対、デジタル加入者線（ＤＳＬ）、または赤外線、無線、マイクロ波のようなワイヤレス技術を使用している他の遠隔ソースから送信された場合、同軸ケーブル、光ファイバケーブル、撚り対、ＤＳＬ、または、赤外線、無線およびマイクロ波のようなワイヤレス技術は、媒体の定義に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、一般的に、ディスク（ｄｉｓｃ）はデータをレーザーによって光学的に再生する。上記の組み合わせも、コンピュータ読取可能媒体の範囲内に含むべきである。
【００７０】
前述の開示は例示的な態様および／または実施形態を論じているが、添付の特許請求の範囲によって定義されたような、記述された態様および／または、実施形態の範囲から逸脱することなく、さまざまな変更および修正がここでできることに着目すべきである。さらに、記述した態様および／または実施形態の要素は単数で記述または主張したかもしれないが、単数形への限定が明示的に述べられていない限り、複数が企図されている。加えて、任意の態様および／または実施形態のすべて、あるいは、一部は、特に明記しない限り、他の何らかの態様および／または実施形態のすべて、あるいは、一部により利用されてもよい。
以下に、本願出願の当初の特許請求の範囲に記載された発明を付記する。
［１］
加入管理の方法において、前記方法は、
ワイヤレスデバイスの第１のＳＩＭカードに関係する第１の加入を使用して、ネットワークと通信することと、
前記ワイヤレスデバイス中の第２のＳＩＭカードの存在を検出することと、
前記検出に応答して、前記第１のＳＩＭカードの電源を切断することと、
前記検出に応答して、前記第２のＳＩＭカードに関係する第２の加入を初期化することと、
前記第２の加入を使用して、前記ネットワークへの接続を試行することとを含む方法。
［２］
前記第２のＳＩＭカードを検出することは、前記第１のＳＩＭカードを使用する時間期間の後に起こる［１］記載の方法。
［３］
前記第１のＳＩＭカードを使用する前記時間期間より前に、前記第１のＳＩＭカードのみを検出することをさらに含む［２］記載の方法。
［４］
前記第１のＳＩＭカードのみを検出することに基づいて、前記第１の加入との通信を確立することをさらに含む［３］記載の方法。
［５］
前記第２のＳＩＭカードを検出することは、前記第２のＳＩＭカードの前記ワイヤレスデバイスへの挿入を検出することをさらに含む［２］記載の方法。
［６］
前記第１のＳＩＭカードは、前記ワイヤレスデバイス中にはめ込まれている［１］記載の方法。
［７］
前記第１の加入は、前記ネットワークと通信するためのデフォルト加入である［１］記載の方法。
［８］
前記第２の加入を初期化することは、前記検出に応答して自動的に起こる［１］記載の方法。
［９］
前記第２の加入を使用して、前記ネットワークへの接続を試行することは、
前記ネットワークから前記第１の加入をデタッチすることと、
前記第２の加入を前記ネットワークにアタッチすることとをさらに含む［１］記載の方法。
［１０］
前記第２の加入を使用して、前記ネットワークと通信することをさらに含む［１］記載の方法。
［１１］
前記第２のＳＩＭカードが前記ワイヤレスデバイスから取り外されているとの通知を受け取ることと、
前記第１のＳＩＭカードの電源を投入することと、
前記通知に応答して、前記第１の加入を初期化することと、
前記第１の加入を使用して、前記ネットワークへの通信を試行することとをさらに含む［１０］記載の方法。
［１２］
前記第１の加入を初期化することは、前記通知に応答して自動的に起こる［１１］記載の方法。
［１３］
前記ネットワークから前記第２の加入をデタッチすることをさらに含む［１１］記載の方法。
［１４］
前記ネットワークから前記第２の加入をデタッチすることは、前記第１のＳＩＭカードの電源を投入するよりも前に起こる［１３］記載の方法。
［１５］
前記第１の加入を前記ネットワークにアタッチすることをさらに含む［１３］記載の方法。
［１６］
加入管理を構成する少なくとも１つのプロセッサにおいて、前記プロセッサは、
ワイヤレスデバイスの第１のＳＩＭカードに関係する第１の加入を使用して、ネットワークと通信する第１のモジュールと、
前記ワイヤレスデバイス中の第２のＳＩＭカードの存在を検出する第２のモジュールと、
前記検出に応答して、前記第１のＳＩＭカードの電源を切断する第３のモジュールと、
前記検出に応答して、前記第２のＳＩＭカードに関係する第２の加入を初期化する第４のモジュールと、
前記第２の加入を使用して、前記ネットワークへの接続を試行する第５のモジュールとを具備するプロセッサ。
［１７］
コンピュータプログラムプロダクトにおいて、
コンピュータ読取可能媒体を具備し、
前記コンピュータ読取可能媒体は、
ワイヤレスデバイスの第１のＳＩＭカードに関係する第１の加入をコンピュータに使用させ、ネットワークと通信させる少なくとも１つの命令と、
前記ワイヤレスデバイス中の第２のＳＩＭカードの存在を前記コンピュータに検出させる少なくとも１つの命令と、
前記検出に応答して、前記第１のＳＩＭカードの電源を前記コンピュータに切断させる少なくとも１つの命令と、
前記検出に応答して、前記第２のＳＩＭカードに関係する第２の加入を前記コンピュータに初期化させる少なくとも１つの命令と、
前記コンピュータに前記第２の加入を使用させて、前記ネットワークへの接続を試行させる少なくとも１つの命令とを含むコンピュータプログラムプロダクト。
［１８］
装置において、
ワイヤレスデバイスの第１のＳＩＭカードに関係する第１の加入を使用して、ネットワークと通信する手段と、
前記ワイヤレスデバイス中の第２のＳＩＭカードの存在を検出する手段と、
前記検出に応答して、前記第１のＳＩＭカードの電源を切断する手段と、
前記検出に応答して、前記第２のＳＩＭカードに関係する第２の加入を初期化する手段と、
前記第２の加入を使用して、前記ネットワークへの接続を試行する手段とを具備する装置。
［１９］
装置において、
ワイヤレスデバイスの第１のＳＩＭカードに関係する第１の加入を使用して、ネットワークと通信するように構成されている加入マネージャーと、
前記ワイヤレスデバイス中の第２のＳＩＭカードの存在を検出し、前記検出に応答して、前記第１のＳＩＭカードの電源を切断し、前記検出に応答して、前記第２のＳＩＭカードに関係する第２の加入を初期化するように構成されているＳＩＭドライバとを具備し、
前記加入マネージャーは、前記第２の加入を使用して、前記ネットワークへの接続を試行するようにさらに構成されている装置。
［２０］
前記ＳＩＭドライバは、前記第１のＳＩＭカードを使用する時間期間の後に前記第２のＳＩＭカードを検出する［１９］記載の装置。
［２１］
前記ＳＩＭドライバは、前記第１のＳＩＭカードを使用する前記時間期間より前に、前記第１のＳＩＭカードのみを検出する［２０］記載の装置。
［２２］
前記加入マネージャーは、前記第１のＳＩＭカードのみを検出することに基づいて、前記第１の加入との通信を確立するようにさらに構成されている［２１］記載の装置。
［２３］
前記ＳＩＭドライバは、前記第２のＳＩＭカードの前記ワイヤレスデバイスへの挿入を検出することによって、前記第２のＳＩＭカードを検出する［２０］記載の装置。
［２４］
前記第１のＳＩＭカードは、前記ワイヤレスデバイス中にはめ込まれている［２３］記載の装置。
［２５］
前記第１の加入は、前記ネットワークと通信するためのデフォルト加入である［２３］記載の装置。
［２６］
前記ＳＩＭドライバは、前記検出に応答して、前記第２の加入を自動的に初期化するように構成されている［２３］記載の装置。
［２７］
前記加入マネージャーは、
前記ネットワークから前記第１の加入をデタッチするようにと、
前記第２の加入を前記ネットワークにアタッチするようにさらに構成されている［２３］記載の装置。
［２８］
前記加入マネージャーは、前記第２の加入を使用して、前記ネットワークと通信するようにさらに構成されている［２３］記載の装置。
［２９］
前記加入マネージャーは、前記第２のＳＩＭカードが前記ワイヤレスデバイスから取り外されているとの通知を受け取るようにさらに構成され、
前記ＳＩＭドライバは、前記第１のＳＩＭカードの電源を投入し、
前記通知に応答して、前記第１の加入を初期化するようにさらに構成されている［２８］記載の装置。
［３０］
前記加入マネージャーは、前記第１の加入を使用して、前記ネットワークへの通信を試行するようにさらに構成されている［２９］記載の装置。
［３１］
前記ＳＩＭドライバは、前記通知に応答して、前記第１の加入を自動的に初期化するように構成されている［２９］記載の装置。
［３２］
前記加入マネージャーは、前記ネットワークから前記第２の加入をデタッチするようにさらに構成されている［２９］記載の装置。
［３３］
前記第２の加入は、前記第１のＳＩＭカードの電源を投入するよりも前に、前記ネットワークからデタッチされる［３２］記載の装置。
［３４］
前記加入マネージャーは、前記第１の加入を前記ネットワークにアタッチするようにさらに構成されている［２９］記載の装置。
【図１】
0005805894.tif 000002
【図２】
0005805894.tif 000003
【図３】
0005805894.tif 000004
【図４】
0005805894.tif 000005
【図５】
0005805894.tif 000006
【図６】
0005805894.tif 000007
【図７】
0005805894.tif 000008
【図８】
0005805894.tif 000009
【図９】
0005805894.tif 000010